Podtech/llm-jp-corpus-v4-ja_patent huggingface dataset:
(57)【要約】【課題】携行可能な風船型太陽光反射集熱器は、人力で膨らませるのは容易でないとの欠点がある。また、風船型太陽光反射集熱器を除けば、従来の大型の凹面鏡は、重く、携行可能な組み立て及び分解が簡単ではなかった。【解決手段】軽量で携行可能な大型の凹面鏡を形成するために、繋ぎ合わせると全体として大型凹面鏡となるとなるように、プラスティック等軽量素材の球面二等辺三角形の凹面鏡の周辺に着脱用の嵌め込み機構をつける。【選択図】図１
2005195706.tif 000002
【特許請求の範囲】
【請求項１】
凹面鏡において、携行可能で軽量の大型の凹面鏡を形成するために、繋ぎ合わせると全体として大型凹面鏡となるように、プラスティック製等の軽量素材でできた球面二等辺三角形の凹面鏡の周辺に着脱用の嵌め込み機構をつけたもの
【発明の詳細な説明】
【技術分野】
【０００１】本発明は、携行可能で軽量な大型凹面鏡を形成するための凹面鏡の形成に関する。
【背景技術】
【０００２】従来の強力な集光集熱効果を得るための大型凹面鏡で携行の容易なものには、風船のように膨らませて凹面反射面を得る風船型太陽光反射集熱器がある。
【非特許文献１】  実用新案登録証  登録第３０５５７３７号
【発明の開示】
【発明が解決しようとする課題】
【０００３】携行可能な風船型太陽光反射集熱器は、人力で膨らませるのは容易でないとの欠点がある。また、風船型太陽光反射集熱器を除けば、従来の大型の凹面鏡は、重く、また、組み立て及び分解が簡単ではなく、携行は困難である。
【課題を解決するための手段】
【０００４】携行可能な大型の凹面鏡を形成するために、繋ぎ合わせると全体として大型凹面鏡となるなるように、プラスティック等の軽量素材でできた軽量球面二等辺三角形の凹面鏡の周辺に着脱用の嵌め込み機構をつける。
【発明の効果】
【０００５】分解及び組み立てが容易となるように球面二等辺三角形の凹面鏡の周辺に着脱用の嵌め込み機構を有するために、大型凹面鏡の分解及び組み立てが容易となり携行可能となり、かつ、プラスティック等の柔らかい素材では、嵌め込み機構の存在により折り曲げに対する強度が増す。また、膨らませる構造ではないので、膨らませるための人力を必要としない。
【発明を実施するための最良の形態】
【０００６】頂角３０度の球面二等辺三角形状の凹面鏡の等辺の一辺に凸面をつけ、他の一辺に凹面をつける。
【実施例】
【０００７】図１は、本発明品の原理を示す外観図である。大型凹面鏡を中心から３０度づつ分割すると、１２個に分割することができる。それぞれの分割した要素である球面二等辺三角形の両辺に、嵌め込み機構、つまり、一方の辺に凸構造、他方の辺に凹構造を作ったものの外観が図１である。図１において、ＰＥＴ等のプラスティック真空成形により、頂角３０度の球面二等辺三角形（１）で、かつ、二等辺部分の一方の辺に凸構造（２）及び他方の辺に凹構造（３）を施し、アルミ蒸着等により表面の鏡面処理を施す。二等辺部分の凸凹構造により、１２個の要素を嵌め込み接続すれば、図４に示す大型の凹面鏡が得られる。球面二等辺三角形の頂点から底辺を結んだ弦の長さは、図４に示す凹面鏡の口径の半分であるところ、頂角３０度で弦の長さが１００ｃｍの球面二等辺三角形を１２個つなげれば、口径２００ｃｍの凹面鏡が形成され、その焦点に、太陽光を集光させた場合の集熱エネルギーの理論値は、次のとおり、１分間で約６２，８００ｃａｌである。
【数１】
太陽定数２ｃａｌ／平方センチメートル／分として、
入射面積  １００ｃｍ×１００ｃｍ×π＝１０，０００πであるので、
１分間に得られるエネルギーは、太陽定数×入射面積＝２×１０，０００π
【産業上の利用可能性】
【０００８】軽量かつ分解組み立て可能な大型凹面鏡が実現できるので、太陽光の強力な集光集熱効果を得られるので、太陽炉として利用でき、熱源として、調理用加熱器、陶芸窯の加熱器等として利用できる。
【図面の簡単な説明】
【０００９】
【図１】球面二等辺三角形状の凹面鏡を斜め上、底辺から見た外観図である。
【図２】球面二等辺三角形状の凹面鏡のＡ−Ｂ切断線による断面図である。
【図３】球面二等辺三角形上の凹面鏡２個を接続したものの断面図である。
【図４】球面二等辺三角形状の凹面鏡を１２個接続した凹面鏡の正面図である。
【図５】球面二等辺三角形状の凹面鏡を１２個接続した凹面鏡の中心を通る切断線による断面図である。
【符号の説明】
【００１０】１  球面二等辺三角形状の凹面鏡
２  球面二等辺三角形状の凹面鏡の等辺面で、断面は凸
３  球面二等辺三角形状の凹面鏡の等辺面で、断面は凹
【図１】
2005195706.tif 000003
【図２】
2005195706.tif 000004
【図３】
2005195706.tif 000005
【図４】
2005195706.tif 000006
【図５】
2005195706.tif 000007
(57)【要約】【課題】  台形小屋トラスの束位置依存性を低くすることができて、小屋組の設計を容易にすることができる小屋組構造を提供する。【解決手段】  隣り合う台形小屋トラス７…間に方形つなぎトラス８が台形小屋トラス７と直交する方向に向けられて配置され、隣り合う台形小屋トラス７，７間において該方形つなぎトラス８に屋根受け用の束６が上方突出状態に立てられている。【選択図】      図１
2005054479.tif 000002
【特許請求の範囲】
【請求項１】
複数の台形小屋トラスが間隔をおいて並列状態に配置された小屋組構造において、
隣り合う台形小屋トラス間に方形つなぎトラスが台形小屋トラスと直交する方向に向けられて配置され、隣り合う台形小屋トラス間において該方形つなぎトラスに屋根受け用の束が上方突出状態に立てられていることを特徴とする小屋組構造。
【発明の詳細な説明】
【技術分野】
【０００１】
本発明は、住宅等の建物における小屋組構造に関する。
【背景技術】
【０００２】
台形小屋トラスを用いた小屋組構造の設計では、屋根の形態と、その形態の屋根を支えるのに必要な束の位置とを決め、それに基づいて台形小屋トラスの配置を決めていくことが行われている。
【０００３】
例えば、図２（イ）（ロ）には、寄せ棟本体屋根部１の大棟２を挟む両側の屋根面３，３に、棟高さ位置を該屋根面３，３の傾斜方向中間部の高さ位置とし、棟線方向を大棟方向と直交させた第１，第２の付属寄せ棟屋根部４，５が、大棟方向に位置を互いにずらせるようにして備えられた形態の屋根を示しているが、このような形態の屋根では、第１，第２の付属寄せ棟屋根部４，５が設けられる部分において、該付属寄せ棟屋根部４，５を支える束６…を立てなければならず、その束の位置を考慮に入れて台形小屋トラス７…の配置を決めていくことになる。
【発明の開示】
【発明が解決しようとする課題】
【０００４】
しかしながら、台形小屋トラスの配置が束の位置に大きく依存する小屋組構造では、例えば、上記の屋根のように、第１，第２の付属寄せ棟屋根部４，５が設けられる部分において、台形小屋トラス７…を他の部分よりも密に配置しなければならないなど、小屋組の設計が厄介なものになる場合があるという問題があった。
【０００５】
本発明は、上記のような問題点に鑑み、台形小屋トラスの束位置依存性を低くすることができて、小屋組の設計を容易にすることができる小屋組構造を提供することを課題とする。
【課題を解決するための手段】
【０００６】
上記の課題は、複数の台形小屋トラスが間隔をおいて並列状態に配置された小屋組構造において、
隣り合う台形小屋トラス間に方形つなぎトラスが台形小屋トラスと直交する方向に向けられて配置され、隣り合う台形小屋トラス間において該方形つなぎトラスに屋根受け用の束が上方突出状態に立てられていることを特徴とする小屋組構造によって解決される。
【０００７】
この小屋組構造では、台形小屋トラス間に方形つなぎトラスを配置し、この方形つなぎトラスに屋根受け用の束が立てられているので、台形小屋トラスの配置が束の位置に左右されにくくなり、そのため、台形小屋トラスの束位置依存性を低くすることができて、小屋組の設計を容易にすることができる。
【発明の効果】
【０００８】
本発明は、以上のとおりのものであるから、台形小屋トラスの束位置依存性を低くすることができて、小屋組の設計を容易にすることができる。
【発明を実施するための最良の形態】
【０００９】
次に、本発明の実施最良形態を図面に基づいて説明する。
【００１０】
図１（イ）（ロ）に示す実施形態は、寄せ棟本体屋根部１の大棟２を挟む両側の屋根面３，３に、棟高さ位置を該屋根面３，３の傾斜方向中間部の高さ位置とし、棟線方向を大棟方向と直交させた第１，第２の付属寄せ棟屋根部４，５を、大棟方向に位置を互いにずらせるようにして備えさせた形態の屋根の小屋組構造に適用した場合のものであり、７は台形小屋トラス、８は方形つなぎトラス、６は束である。
【００１１】
本実施形態では、台形小屋トラス７…が、寄せ棟本体屋根部１用の小屋トラスとして、第１，第２の付属寄せ棟屋根部４，５の存在とは無関係に配置されており、そのため、隣り合う台形小屋トラス７，７間に第１，第２の付属寄せ棟屋根部４，５用の束を立てなければならず、そのための手段として、隣り合う台形小屋トラス７，７間に、台形小屋トラス７と同じ高さ寸法の方形のつなぎトラス８…が台形小屋トラス７…と直交する方向に向けられて配置されており、この方形つなぎトラス８…に束６…が上方突出状態に立てられ、該束６…が付属寄せ棟屋根部４，５を支える構造となっている。
【００１２】
このような小屋組構造によれば、台形小屋トラス７…の配置が第１、第２の付属寄せ棟屋根部４，５の束立て位置に左右されず、そのため、台形小屋トラス７…の束位置依存性を低くすることができて、小屋組の設計を容易にすることができる。
【００１３】
また、方形つなぎトラス８の採用により、隣り合う台形小屋トラス７，７間の間隔が狭くなるのを防ぐことができ、屋根に採光用のトップライトを設ける場合でも、トップライトのサイズを大きなものにすることができる。更に、方形のつなぎトラス８…が隣り合う台形小屋トラス７，７に連結されている場合は、方形のつなぎトラス８…が台形小屋トラス７，７の倒れ止めの作用も果たすことができる。
【００１４】
以上に、本発明の実施形態を示したが、本発明はこれに限られるものではなく、発明思想を逸脱しない範囲で各種の変更が可能である。例えば、上記の実施形態では、特定形態の屋根の小屋組構造に適用した場合を示しているが、本発明の小屋組構造は、屋根の形態に応じて種々の構造形態に構成されるものであることはいうまでもない。
【図面の簡単な説明】
【００１５】
【図１】実施形態の小屋組構造を示すもので、図（イ）は平面図、図（ロ）は構造を簡素化して要部のみを示した斜視図である。
【図２】従来の小屋組構造を示すもので、図（イ）は平面図、図（ロ）は構造を簡素化して要部のみを示した斜視図である。
【符号の説明】
【００１６】
６…束
７…台形小屋トラス
８…方形つなぎトラス
【図１】
2005054479.tif 000003
【図２】
2005054479.tif 000004
(57)【要約】      （修正有）【解決手段】炭化釜１にヒーター１４二重ゲート２底部に炭化物取り出しスクリュウ５を取り付け、セパレーター１０に消臭器１１ブロワー１２を組み合わせ低温炭化装置を組み立てる。【効果】本品を生ごみ処理機に利用すると処理の安定化及び処理が困難な有機物の処理ができ炭化物も極微量となる。さらに、ランニングコストの低減ができる。【選択図】図２
2005054160.tif 000002
【特許請求の範囲】
【請求項１】
炭化釜（１）に二重ゲート（２）を介し有機物を投入し、ヒーター（１４）で蒸し焼き状態にする。
【請求項２】
空気自動調整弁（７）及びブロワ−（１２）のコントロールにより、蒸し焼き状態を安定させ低温にて有機物を炭化させる。
【発明の詳細な説明】
【発明の詳細な説明】
【技術分野】
【０００１】  本発明は、生ごみ等を効率よく処理する方法で、省エネ、環境の改善に関する。
【背景技術】
【０００２】  生ごみ等を処理する場合微生物処理、焼却等が一般的である。
【発明が解決しようとする課題】
【０００３】  従来の微生物処理では処理が難しい動物性油脂、唐辛子等も本機では簡単に処理できる。また、生ごみ等は水分が多く焼却等ではランニングコストが割高となる。
【０００４】  本発明は、低温で炭化させ安定した処理、微生物処理では難しい物の処理を目的としている。
【課題を解決するための手段】
【０００５】  上記目的を達成するために、空気自動調整弁及びブロワ−での緻密な相互制御を行い、完璧な低温炭化を実現した。
【発明を実施するための最良の形態】  発明の実施の形態を実施例にもとづき図面を参照して説明する。
図１において、炭化釜（１）にヒーター（１４）二重ゲート（２）底部に炭化物取り出しスクリュウ（５）を取り付け、セパレーター（１０）に消臭器（１１）ブロワ−（１２）を組み合わせ低温炭化装置を組み立てる。【０００６】  図１に示される完成品を低温炭化装置とする。【０００７】  図２に示される実施例は生ごみ処理機である。【０００８】  図１図２は低温炭化装置平面図である。
【発明の効果】
本発明は、以上説明したように構成されているので、以下に記載されるような効果を葵する。
【０００９】  本品を生ごみ処理機に利用すると処理の安定化及び処理が困難な有機物の処理ができ炭化物も極微量となる。
【００１０】  さらに、ランニングコストの低減ができる。
【００１１】  また、低温で生ごみを処理することによる悪臭の減少、さらに超小型化が可能となり、省スペース低価格の生ごみ処理機ができる。
【図面の簡単な説明】
【図１】  低温炭化装置の簡略図である。
【図２】  低温炭化装置の内部構造簡略図である。
【符号の説明】
１  炭化釜
２  二重ゲート
３  ２番ゲートシリンダー
４  １番ゲートシリンダー
５  炭化物取り出しスクリュウ
６  炭化物取り出し口
７  空気自動調整弁
８  空気取り入れ口
９  煙水取り出し口
１０  セパレーター
１１  消臭器
１２  ブロワー
１３  排気管
１４  ヒーター
【図１】
2005054160.tif 000003
【図２】
2005054160.tif 000004
(57)【要約】【目的】水量計、電磁弁、表示器、制御装置、電源などを内蔵し、蛇口などの先に取り付けて水量を監視・制御することで節水を計る装置【構成】水量計、電磁弁、表示器、キースイッチ、制御装置、電源などで構成される【選択図】  図１
2005054382.tif 000002
【特許請求の範囲】
【請求項１】
水量計、電磁弁、表示器、制御装置、電源などを内蔵し、蛇口などの先に取り付けて水量を監視・制御することで節水を計る装置
【発明の詳細な説明】
【０００１】
【発明が解決しようとする課題】
レストランなどの厨房施設などでは、洗浄や調理などに多量の水を使ってる。水の使用量が増えれば比例して下水道使用量も増え、経費面やエコロジーの観点からも節水の必要性が叫ばれている。しかし現場にはアルバイトなども多く、社員の入れ替わりもありなかなか節水の徹底ができていないのが現状である。
【０００２】
【課題を解決するための手段】
そこで、蛇口などの水の出口に取り付ける節水装置を考案した。あらかじめいくつかのタッチスイッチに作業に必要な水量を記憶させておき、使用者は作業に応じてパネルをタッチするだけで必要な水量を出すことができるものである。水量の把握には水量計や定流量バルブを利用する。従来、風呂用などに一定の水量を出す簡易型の機器はあったが、いろいろな作業について複数の設定しておける物はなかった。また複数の作業について水量の累積を記録することもできる。
【０００３】
【発明の効果】
この節水システムをとりつけると、作業者は作業内容の書かれたパネルを押すだけで、必要な水量を得ることができる。そのため熟練や慣れを必要とせず、確実に節水が計れる様になる。また、設定キーごとに使用水量の累積記録が取れるため、きめ細かい節水の対策をたてることが可能になる。また、用途によっては飲料水や蒸発する物については確実な記録を残すことで、下水道料金の減額などにも利用できる。また、連続出水の場合は一定時間たつと停止することも可能であり、節水効果を確実にすることができる。
【図面の簡単な説明】
【図１】全体の構成図である。
【符号の説明】
１  既設の蛇口など
２  本装置。内部に水量計、電磁弁、表示器、制御装置、電源などを内蔵する
【図１】
2005054382.tif 000003
(57)【要約】【課題】  和服の場合、「上はゆっくり、下はきりっと」という言葉で表されるように、上半身は良くも悪くもゆったり目に、下半身は逆にきっちり目に着こなす、というのがセオリーであり、技術的にもそう作られてきた。  それからさまざまな時代の変遷を受け、上半身にも多少きちっとと思っても、それを絞める道具は紐か帯しかなかった。  最近の和服ブームにのるにせよ、それぞれの時代の人の体格、着こなしに対応しなければ、そのブームも所詮一過性のものとなってしまうであろう。  これは、一時の流行商品ではなく、人々とともに時代をわたってゆく、和服の問題であり、ひとつの欠点であるといえよう。  本発明は、この欠点を解決するためになされたものである。【解決手段】  従来の和風の上着の襟が重なる地点の一方の襟にボタン（１）、ホック、マジィクテープ、紐等を設け、他方の襟にボタン穴（４）等を設けて、必要に応じボタン等を閉じれるようにする。  本発明は、以上の構成よりなる「和洋折衷型上着」である。【選択図】  図１
2005054339.tif 000002
【特許請求の範囲】
【請求項１】
従来の和風の上着の襟が重なる地点の一方の襟にボタン（１）、ホック、マジィクテープ、紐等を設け、他方の襟にボタン穴（２）等を設けて、必要に応じボタン等を閉じれるようにする。［図１］
【請求項２】
ボタン穴等を通常の縦型の他に、横型、斜め型（４）、半円型（５）〜四半円型〜八分の一円型〜、放物線型〜半放物線型〜四分の一放物線型〜等、また、ボタン１個に対して複数個のボタン穴を用意する等々、様々な様式と長さを設定する。［図２、３］
【請求項３】
従来の和風の上着の襟が重なる地点、数点の一方にボタン（１）、ホック、マジィクテープ、紐等を設け、他方にボタン穴（４）等を開けて、より強固に和風の上着が乱れないようにする。［図４］
【請求項４】
現状でもう既にある和服を改良する方法として、ネクタイピン状の物（５）で上から、和風の上着の襟が重なる地点を両側から押さえる方法があり、この場合のネクタイピン状の物（５）は、通常の「Ｉ型」の他、「Ｌ型、Ｊ型（５）」等が考えられる。［図５］
【請求項５】
現状でもう既にある和服を改良する方法として、安全ピン状の物（６）で、和風の上着の襟が重なる地点で、止めておく方法もある。［図６］
【発明の詳細な説明】
【発明の詳細な説明】
【技術分野】
【０００１】  本発明は、和服に於いて、和洋折衷の観点から、ボタン等を設けることを考え、考え様によっては欠点ともなりうる、襟の合わせ目の部分の落ち着きのなさを、ボタン、ホック、マジィクテープ、紐等によって着脱自在にする技術に関するものである。
【背景技術】
【０００２】  和服の場合、「上はゆっくり、下はきりっと」という言葉で表されるように、上半身は良くも悪くもゆったり目に、下半身は逆にきっちり目に着こなす、というのがセオリーであり、技術的にもそう作られてきた。
【発明が解決しようとする課題】
【０００３】  それからさまざまな時代の変遷を受け、上半身にも多少きちっとと思っても、それを絞める道具は紐か帯しかなかった。
最近の和服ブームにのるにせよ、それぞれの時代の人の体格、着こなしに対応しなければ、そのブームも所詮一過性のものとなってしまうであろう。
これは、一時の流行商品ではなく、人々とともに時代をわたってゆく、和服の問題であり、ひとつの欠点であるといえよう。
本発明は、この欠点を解決するためになされたものである。
【課題を解決するための手段】
【０００４】  従来の和風の上着の襟が重なる地点の一方の襟にボタン（１）、ホック、マジィクテープ、紐等を設け、他方の襟にボタン穴（２）等を設けて、必要に応じボタン等を閉じれるようにする。
【図１】
【０００５】  ボタン穴等を通常の縦型の他に、横型、斜め型（４）、半円型（５）〜四半円型〜八分の一円型〜、放物線型〜半放物線型〜四分の一放物線型〜等、また、ボタン１個に対して複数個のボタン穴を用意する等々、様々な様式と長さを設定する。
【図２、３】
【０００６】  従来の和風の上着の襟が重なる地点、数点の一方にボタン（１）、ホック、マジィクテープ、紐等を設け、他方にボタン穴（４）等を開けて、和風の上着が乱れないようにする。
【図４】
本発明は、以上の構成よりなる「和洋折衷型上着」である。
【発明を実施するための最良の形態】
【０００７】  以下、本発明の実施の形態を説明する。
本発明品たる和服は、ボタン（１）をしめる事によって、朝から夕方まで長時間にわたって美しい着こなしが可能となる。【０００８】  またボタン穴（２、４）等の形状から、当然予想されるからだの動きに対しても、フレキシブルに対応可能である。【０００９】  逆に、ゆっくりとくつろぎたいときには、ボタン（１）を外し通常どおりの和服の形で、着物そのもの面からもくつろぐことが可能である。【００１０】  さらに強固に着こなしを保つために、複数ボタンモデルもある。
【発明の効果】
【００１１】  本発明を使用することによって、和服の魅力が倍加し、その影響で営業面では和洋双方に好結果が予想される。
【図面の簡単な説明】
【図１】    和洋折衷型上着の図
【図２】    ボタンと斜めに開いたボタン穴の図
【図３】    ボタンと四半円に開いたボタン穴の図
【図４】    和洋折衷型上着のボタン２個の場合の図
【図５】    ネクタイピン状の物で襟を止めた場合の図
【図６】    安全ピン状の物で襟を止めた場合の図
【符号の説明】
１  ボタン
２  縦型ボタン穴
３  紐
４  斜め型ボタン穴
５  四半円型ボタン穴
６  「Ｊ型」のネクタイピン状の物
７  安全ピン状の物
８  ブランド等のマーク
【図１】
2005054339.tif 000003
【図２】
2005054339.tif 000004
【図３】
2005054339.tif 000005
【図４】
2005054339.tif 000006
【図５】
2005054339.tif 000007
【図６】
2005054339.tif 000008
(57)【要約】      （修正有）【課題】木造住宅で地震が来ても安心してねむれる住宅を提供する。【解決手段】建物の基本部分、もしくは、右側か左側をＰＣ工法で強化し、倒壊し難い住宅とする。【選択図】図１
2005054352.tif 000002
【特許請求の範囲】
木造住宅で、地震が来ても、潰れない、倒れない、安心してねむれる住宅。
【請求項１】
建物の基本部分が、倒壊しない住宅。
【発明の詳細な説明】
この発明は、建物の基本部分、もしくは、右側か左側をＰＣ工法で、強固な部屋を作る。
コストがＰＣ工法より安くできる。
工法としては、ＰＣ工法と、軸組工法と、パネル工法とを、ミックスした住宅です。
したがって基本部分が倒壊しないのです。
2005054352.tif 000003
洋風・和風の建物にも工法は使えます。
【図面の簡単な説明】
【図１】本発明を真上から見た図である。
【図２】本発明を真横から見た図である。
【符号の説明】
（１）は２００角の鉄骨柱            （２）はベース
（３）は鉄骨の１５０ｍｍＨ鋼の梁    （４）は木造用の基礎
【図１】
2005054352.tif 000004
【図２】
2005054352.tif 000005
【手続補正書】
【提出日】平成15年7月11日(2003.7.11)
【手続補正２】
【補正対象書類名】明細書
【補正対象項目名】特許請求の範囲
【補正方法】変更
【補正の内容】
【特許請求の範囲】
【請求項１】
木造住宅で、地震が来ても潰れない倒れない安心して眠れる住宅
【請求項２】
建物の基本部分が倒壊しない住宅
【手続補正書】
【提出日】平成15年7月17日(2003.7.17)
【手続補正１】
【補正対象書類名】明細書
【補正対象項目名】発明の詳細な説明
【補正方法】変更
【補正の内容】
【発明の詳細な説明】
この発明は、建物の基本部分、もしくは右側か左側をＲＣ工法で、強固な部屋を作る。
コストがＲＣ工法より安くできる。
工法としては、ＲＣ工法を軸組工法とパネル工法とをミックスした住宅です。
したがって、基本部分が倒壊しないのです。
平屋建の場合・ＧＬより６００ｍｍの深さ、鉄骨柱は２００ｍｍ角とする。
２階建の場合・ＧＬより１２００ｍｍの深さ、鉄骨柱は２００ｍｍ角とする。
３階建の場合・ＧＬより１８００ｍｍの深さ、鉄骨柱は２５０ｍｍ角とする。
洋風・和風の建物にもこの工法は使えます。
(57)【要約】〔課題〕家庭内や、特に外出時にズボンがずり落ちて困る時が有るがそれを防ぐためにずれ止めを使用する事にした。〔解決手段〕シャツ２の１部をずれ止金具４で狹み込み、それをズボン１の中に入れてズボン１とベルト３にしっかりと固定するためズボン１が安定してずり落ちない。【選択図】図３2005054343.tif 000003
2005054343.tif 000002
【特許請求の範囲】
【請求項１】
シャツの１部をずれ止金具（改良クリップ）で狹み込みズボンとベルトに固定するズボン吊り
【請求項２】
ずれ止金具で腰部の適当なシャツの１部を狹みズボンの中に入れてベルトにはめて固定するズボン吊り
【発明の詳細な説明】
【考案の詳細な説明】
〔考案の属する技術分野〕
【０００１】  本考案はシャツの１部を狹み込み、それをズボンとベルトにしっかりと固定するためため、ズボンがずり落ちない。
〔従来の技術〕
【０００２】  従来のズボン吊りは肩掛式のもので、外から見えるため形式ばってしまい使用するのに抵抗感を感じたり、着用が面倒なため使用しない場合が多い。
〔考案の実施の形態〕
【０００３】  本考案は家庭内でも使用出来るが、特に外出時には便利で有り、それを図面にて説明ずれば、シャツ２の１部をずべり止め金具４で狹み込み、ズボン１とベルト３に固定する様にするもので有る。
〔考案の効果〕
この様にすれば家庭内でも、外出時にもズボンがずり落ちる事もなく外見も普通と変らず着脱も容易で有り便利である。
【図面の簡単な説明】
【図１】本考案によるズボン吊りを使用した概略図
【図２】本考案の側面断面図（Ａ矢視図）平面図
【図３】本考案によるズボン吊りの実施例の１例を示す概略部分断面図  第２図のＢ部の曲がりにより、第３図Ｃ部に空間が出来て腰部に違和感もなく肌に優しい当りとなる（試作品を３ヶ月間試着）
【符号の説明】
１    ズボン
２    シャツ
３    ベルト
４    すべり止め金具（改良クリップ）
５    ビニール被服
６    ビニール止め金（４に施行）
【図１】
2005054343.tif 000004
【図２】
2005054343.tif 000005
【図３】
2005054343.tif 000006
(57)【要約】【課題】一般的な防犯用サムターン摘みの構造に関して、ごく僅かなコストで誰にでも簡単に取り付けられ、安全に操作のできる防犯用サムターン摘みを提供することを課題とする。【解決手段】玄関ドアなどに配設され、回動操作によってこのドアの施解錠を行うサムターン摘みの構造であって、サムターン摘みの形状を球形又は、円柱状にしたことを特徴とする防犯用サムターン摘みである。この防犯用サムターン摘みは、防犯対策のされていない既存のサムターンに対し、誰にでも簡単に取り付ける事ができることを特徴とする防犯用サムターン摘みである。【選択図】図１
2005054396.tif 000002
【特許請求の範囲】
【請求項１】
玄関ドアなどに配設され、摘み部を回し操作することで、ラッチを施
錠および解錠動作可能にしてあるサムターンの摘み構造において、前記摘み部の外郭形状
を、球状または摘み部の回転軸線と同軸状の円柱状またはこれらに類する形状に成形した
ことを特徴とするサムターンの摘み構造。
【請求項２】
玄関ドアなどに配設され、摘み部を回し操作することで、ラッチを施錠
および解錠動作可能にしてあるサムターンの摘み構造において、前記の既製摘み部に擬似
摘み部を、当該擬似摘み部の嵌合溝に既製の摘み部を着脱自在に嵌合した後に固定金具で
取り付け、この擬似摘み部の外郭形状を、球状または摘み部の回転軸線と同軸状の円柱状
またはこれらに類する形状に成形したことを特徴とする請求項１記載のサムターンの摘み
構造。
【発明の詳細な説明】
【技術分野】
【０００１】
この発明は、玄関ドアなどに配設され、摘み部を回し操作することで、ラッチを施錠お
よび解錠動作可能にしてあるサムターンの防犯を目的とした摘み構造にに関する。
【背景技術】
【０００２】
玄関ドアなどに配設され、摘み部を回し操作することで、ラッチを施錠および解錠動作
可能にしてあるサムターンの防犯を目的とした従来の形態は、玄関ドアなどに小穴が開け
られた後、そこから屋内側へ差し入れられた棒等が、不正にサムターンを回転操作できぬ
よう、サムターンの回りに、図３、９に示す防犯カバー等を設置する方法が考案されてい
る。この方法は、不正に屋内側へ差し入れられた棒等が、直接サムターンに干渉すること
をできなくし、これによりサムターンの不正な回転操作を防止するものである。
【０００３】
又、不正に屋内側へ差し入れられた棒等の干渉をサムターンが直接受けた場合において
、サムターンが不正な回転操作に対し解錠に至らないよう特殊な構造をもったサムターン
の摘み構造も防犯を目的としたサムターンの摘み構造としてその内容が開示されている。
【特許文献１】特開２００１−２９５５１５号公報
【発明の開示】
【発明が解決しようとする課題】
【０００４】
しかしながら、以上の従来技術によれば、特にサムターンが不正な回転操作に対し解錠
に至らないように特殊な構造を持った防犯用サムターン等を採用しようとした場合、玄関
ドアなどに対し、既存の施錠機構全体を交換する必要が生じ、専門業者等の大掛りな工事
が必要となり、結果、コストが嵩み、多額の出費を余儀なくされていた。
【０００５】
又、不正に屋内側へ差し入れられた棒等が、直接サムターンに干渉することをできなく
し、これによりサムターンの不正な回転操作を防止するためのカバー等をサムターンを中
心とした、円周状に設置する方法は、サムターンを施錠および解錠操作する際、サムター
ンの直近に位置したカバーの角で、手先を傷付ける等の恐れが生じる可能性があり、安全
上好ましいとは言い難い。そこでこの発明は、従来技術に対し、コストも僅かで誰にでも
簡単に取り付けられ、安全に施錠および解錠操作のできる防犯を目的としたサムターンの
摘み構造を提供することを課題とする。
【課題を解決するための手段】
【０００６】
以上の課題を解決するために、第一発明は、玄関ドアなどに配設され、摘み部を回し操
作することで、ラッチを施錠および解錠動作可能にしてあるサムターンの摘み構造におい
て、前記摘み部の外郭形状を、球状または摘み部の回転軸線と同軸状の円柱状またはこれ
らに類する形状に成形したことを特徴とするサムターンの摘み構造である。
【０００７】
また、第二発明は、玄関ドアなどに配設され、摘み部を回し操作することで、ラッチを
施錠および解錠動作可能にしてあるサムターンの摘み構造において、前記の既製摘み部に
擬似摘み部を、当該擬似摘み部の嵌合溝に既製の摘み部が着脱自在に嵌合した後態に固定
金具で取り付け、この擬似摘み部の外郭形状を、球状または摘み部の回転軸線と同軸状の
円柱状またはこれらに類する形状に成形したことを特徴とするサムターンの摘み構造であ
る。
【発明の効果】
【０００８】
第一発明によれば、サムターンの摘み構造において、摘み部の外郭形状を、球状または
摘み部の回転軸線と同軸状の円柱状またはこれらに類する形状に成形したことより、不正
に屋内側へ差し入れられた棒等の干渉を直接受けた場合においても、棒等が引っかかる部
位が基本的に存在しなくなり、サムターンを不正に回転操作することが非常に困難になり
大きな防犯効果が生じる。
【０００９】
第二発明によれば、当該擬似摘み部の嵌合溝に既製の摘み部が着脱自在に嵌合した後に
固定金具にて固定されるので、当該サムターンの摘み構造の既製の摘み部への取り付けは
非常に簡単であり、また、の既製の摘み部の交換の必要もない。
【発明を実施するための最良の形態】
【００１０】
この発明の一実施形態を、図１に示す。
１は、玄関ドア等の一部を示す。２は既製のサムターン台座。３は既製のサムターン摘
み部であり、これらは防犯対策が施されていない玄関ドア等の屋内側サムターン摘み部の
ごく一般的な形態を示している。
【００１１】
ここで、擬似摘みであるところの当該サムターン摘み４は、摘み部の外郭形状を、球状
または摘み部の回転軸線と同軸状の円柱状またはこれらに類する形状に成形されており、
当該サムターン摘みの一部分は、既存のサムターン台座２と同径の平面部６を有する。
【００１２】
この平面部６には、既存のサムターン摘み３に着脱自在に嵌合できるように嵌合溝５が
施されている。８は固定金具であって、既存のサムターン摘み３に当該サムターン摘み４
の嵌合溝５を嵌合の後、当該サムターン摘み４のネジ穴７に固定金具８をねじ込むことに
より当該サムターン摘み４は、確実に既存のサムターン摘み３に固定される。
図２は、既存のサムターン摘み３に当該サムターン摘み４を取り付けた状態での断面図
を示している。
【図面の簡単な説明】
【００１３】
【図１】この発明の一実施形態を示す斜視図である。
【図２】この発明の断面図を示す。
【図３】従来技術を示す斜視図である。
【符号の説明】
【００１４】
１  玄関ドア等の一部            ２  既製のサムターン台座
３  既製のサムターン摘み        ４  当該サムターン摘み
５  嵌合溝                      ６  平面部
７  ネジ穴                      ８  固定金具  
９  防犯カバー
【図１】
2005054396.tif 000003
【図２】
2005054396.tif 000004
【図３】
2005054396.tif 000005
(57)【要約】【課題】密閉型圧縮機においてオイル吐出の低減を図り、圧縮機の信頼性の確保と、冷凍サイクルの性能向上提供するものである。【解決手段】シリンダーから直接オイル分離器に吐出冷媒を導入し、分離されたオイルをモーター下部に戻すと同じに吐出ガスも同様にモーター下部に別々に戻すことによりオイル分離と、モーターの冷却を行い、圧縮機の信頼性の確保とモーターの加熱防止が出来る。【選択図】図１
2005054742.tif 000002
【特許請求の範囲】
【請求項１】
密閉容器内の上部にモーター、下部に圧縮機部を配置した回転式圧縮機において、圧縮機部から密閉容器外に連通するパイプを配置し、
そのパイプにオイル分離器を接続し、オイル分離器のガス出口から密閉容器のモーター下部に連通するパイプを設け、オイル戻し穴からモーター下部に連通するパイプを別々に配置した密閉型回転式圧縮機。
【発明の詳細な説明】
【技術分野】
【０００１】
本発明は、空気調和装置あるいは冷蔵庫などに用いられる回転式圧縮機に関するものである。
【背景技術】
【０００２】
従来の回転式圧縮機としては、圧縮機部より吐出されたオイルを含む冷媒ガスが、モーターの固定子と密閉容器の間の空間、もしくは固定子と回転子の間の空間を通り、上部鏡板に設けられた吐出管より排出される。冷媒ガスを冷凍サイクルに接続する際この圧縮機吐出管と冷凍サイクルの間にオイル分離器を配置し、オイル分離を行い分離されたオイルは圧縮機の吸入側に戻される（例えば、特許文献１参照）。
【０００３】
図２は、特許文献１に記載された従来の密閉型回転式圧縮機とオイル分離器を配置した冷凍サイクルである。図２において、圧縮機１００の吐出口と冷凍サイクルの間にオイル分離器６００が配置され、分離されたオイルが圧縮機の吸入側に接続された配管を通り圧縮機内に回収され、オイルの冷凍サイクルへの飛び出しを防止することができ、圧縮機のオイルレベルの確保と冷凍サイクルの熱交換能力の低下を防止することができる。
【特許文献１】特開平１−１２７８５７号公報
【発明の開示】
【発明が解決しようとする課題】
【０００４】
しかしながら、前記従来の構成では、オイル分離器で分離されたオイルは高温の状態で吸入側に戻されるため、吸入ガスが加熱され圧縮機の効率を悪化させてしまう問題があった。
【０００５】
本発明は、圧縮機の吸入ガスの過熱を行うことなく、圧縮機から排出されるオイルを低減させ圧縮機内のオイルレベルの確保と、冷凍サイクルの熱交換効率の低下抑制させるものである。それにより、圧縮機の信頼性の向上と冷凍サイクルの効率を向上させることを目的とする。
【課題を解決するための手段】
【０００６】
前記従来の課題を解決するために、本発明の密閉型回転式圧縮機は、圧縮機部から密閉容器外に連通するパイプを配置し、そのパイプにオイル分離器を接続し、オイル分離器のガス出口から密閉容器のモーター下部に連通するパイプを設け、オイル戻し穴からモーター下部に連通するパイプを別々に配置することで、圧縮機部で圧縮されたオイルを含んだ冷媒が一旦オイル分離器に放出され、オイル分離器でオイルと冷媒とに分離され、オイルは密閉容器のモーター下部に戻されることにより圧縮機のオイルレベルを確保可能となる。一方オイルを分離されたガスは直接冷凍サイクルの凝縮器に接続した場合、密閉容器内のモーターが加熱しモーターの信頼性を著しく損なう恐れがある。その為本発明はオイル分離器で分離された冷媒ガスを一旦密閉容器内のモーター下部に接続することにより、オイル分を分離したガスをモーターの冷却をしたあと密閉容器の上部に取り付けている吐出管を通して冷凍サイクルに接続する。
【発明の効果】
【０００７】
本発明は、オイル分離器で分離されたオイルと冷媒ガスを別々に密閉容器のモーター下部に戻すことにより、オイルの分離、モーターの冷却が同じにでき、圧縮機のオイルレベルの確保、冷凍サイクルの熱交換効率の向上、吸入ガスの加熱の防止が可能となり、大幅に圧縮機の信頼性を向上させると共に、冷凍サイクル全体の効率向上を図ることが出きる。
【発明を実施するための最良の形態】
【０００８】
以下、本発明の実施の形態について図面を参照して説明する。
【０００９】
（実施の形態１）
図１は、本発明実施の形態１における密閉型回転式圧縮機の断面図である。
【００１０】
密閉容器１の上部に上鏡板２、下部に下鏡板３が配置され上鏡板２に吐出管４が接続されている。密閉容器１、上鏡板２及び下鏡板３で密閉された容器内の上部にモータ５ーが配置され、下部に圧縮機部６が配置されている。圧縮機部６はシャフト７、上軸受け８下軸受け９との間にシリンダー１０が配置され、上軸受け８には圧縮されたガスを排出する為の吐出孔１１が具備されている。上軸受け８にはカバー１２が取り付けられており、カバー１２と密閉容器１の間にパイパスパイプ１３が接続されている。バイパスパイプ１３にオイル分離を目的としたオイル分離器１４が接続され、分離されたオイルを密閉容器１内のモーター５と圧縮機部６の間に戻すオイル戻しパイプ１５が配置され、オイル分離器１４でオイルを分離した冷媒ガスを圧縮機内に戻す冷媒戻しパイプ１６が配置されている。冷媒戻しパイプ１６はオイル戻しパイプ１５同様モーター５と圧縮機部６の間に接続されている。冷媒戻しパイプ１６とオイル戻しパイプ１５の間隔は５ｍｍ以上離すことにより、再度冷媒とオイルが混合することを防止することが出来る。
【図面の簡単な説明】
【００１１】
【図１】密閉型回転式圧縮機の縦断面図
【図２】従来の密閉型圧縮機とオイル分離器を配置した冷凍サイクルを示す図
【符号の説明】
【００１２】
１    密閉容器
２    上鏡板
３    下鏡板
４    吐出管
５    モーター
６    圧縮機部
７    シャフト
８    上軸受け
９    下軸受け
１０    シリンダー
１１    吐出孔
１２    カバー
１３    バイパスパイプ
１４    オイル分離器
１５    オイル戻しパイプ
１６    冷媒戻しパイプ
【図１】
2005054742.tif 000003
【図２】
2005054742.tif 000004
(57)【要約】【目的】  この発明は、勾配のゆるい河川流や潮流を利用して発電することを目的としている。［解決手段］長い柄の先に平坦なブレードを付けた水車で発電する。【構成】  柄１にブレード２を装着した水車と発電機４で構成する。【選択図】  図１
2005054764.tif 000002
【特許請求の範囲】
【請求項１】
長い柄で水底に近接したブレードを特長とする水車発電機
【発明の詳細な説明】
【発明の詳細な説明】
［産業上の利用分野］
【００１】  電力を蓄える装置と併設することで、安定電源として利用できる。  ［従来の技術］
【００２】  従来の水力発電は、大規模な貯水池から放流する急勾配の水力を利用しており、海峡の潮流や中規模の河川の水流を利用できなかった。  ［発明が解決しようとする課題点］
【００３】  不安定な発電を水量の安定化ではなく、電力を貯蔵することで安定化を図ることにすれば、水量と方向の変化を許容できる水車を開発すればよい。  ［課題を解決するための手段］
【００４】  柄１の先にブレード２を装着した水車３の回転力で発電機４を作動する。  ［作用］
【００５】  河川で水量が変化しても、水底に近い部分の水流は比較的安定しており、水車の回転部分を破損させることはない。また、潮流発電ではブレードを平坦にしておけば、潮流が逆流しても発電機の切替だけで発電できる。  ［発明の効果］
【００６】  全国的な水力の利用と、海峡の潮流利用が可能になるので、日本のエネルギー自率の向上に資すること大である。
【図面の簡単な説明】
【図１】本発明の斜視図である。
【符合の説明】
１は柄２はブレード３はシャフト４は発電機
【図１】
2005054764.tif 000003
(57)【要約】      （修正有）【課題】従来の水車は羽が板状であるが故水中に入る時のたゝき抵抗、水面から潜る時の水抵抗、空中に脱出する時の水抵抗、空気中の空気抵抗と、多くの抵抗を受けて来た。【解決手段】歯車付の縦長の複数の羽１を取付棒１３に一つ飛びに段違いに設置するそしてローラー付摺動棒３に張付けられた直線状の歯によって羽を回転させるこれを利用して、格子状から波状へ、板状へと変化させトルクを最大に受ける直角で板状になる様設定した構造の水車である。【選択図】図１
2005054767.tif 000002
【特許請求の範囲】
【請求項１】
図３において両側に固定されたドラムの溝１２をローラ付き棒３が左右に移動しギヤー付羽１０が水の流れに対し直角に当る位置で最大のトルクを得られる様設定し他の角度では波状…格子状に変化させる構造
【請求項２】
図１において両側の溝付ドラム４の間の距離を一定に保つ為に二重シャフトによる固定シャフト６を設けた構造
【請求項３】
水中に近い状態で水平使用のタービンも効果あると考えられるのでこれも請求項とする
【発明の詳細な説明】
【発明の詳細な説明】
（発明の属する技術分野）
【０００１】図３において、両側に固定されたドラムの溝１２をローラー棒３が左右に移動しギヤー付羽１０が水の流れに対し直角に当る位置で最大のトルクを得られる様設定し他の角度では波状…格子状にと変化させる様にした。これにより水力を得る角度以外の角度では極力抵抗を軽減させる様に考案した。
尚図３において向い合う歯車１０がぶつかり合わぬ様図４の様に段差を設けた。更に図３の直線歯９は焼入れ加工時に必ず歯の両側にそり曲がるので短い短策状にした。
（従来の技術）
【０００２】図５において従来の板状羽の水車であればａの位置の羽が水面に向う時水面と板との間の空気抵抗を受ける更に、水面をたゝく時の抵抗、板が水中に潜る時の水抵抗が考えられるまた、Ｄの位置の羽が水中から空中に脱出する時の水抵抗も大きい更にＥ．Ｆの位置の羽も若干の空気抵抗を受けるまた水平に使われるタービンも水中で回転するのと似た状態で、水車の容積に匹敵する水の重量をかゝえての回転となるのでこれも回転の大きな抵抗と考えられる。
（発明の実施の形態）
【０００３】今回の案はあくまで垂直設置の構造であり水平使用や、水中使用ではベアリングの問題やローラ付摺動棒の重量の問題等若干の改善が必要になる
（発明の効果）
【０００４】従来の水車は水流のトルクに対しあまりにも抵抗項目が多過ぎた。これを大きく軽減出来ること。
【図面の簡単な説明】
【図１】水車の正面図である
【図２】羽と摺動棒と固定ドラムの拡大図である
【図３】歯車付羽の変化順を示した図である
【図４】歯車付羽の歯車がぶつかり合わぬ様説明した図である
【図５】羽の開閉位置を示した図である
【符号の説明】
１．羽
２．羽枠
３．ローラー取付棒
４．溝付ドラム
５．動力取出し歯車
６．ドラム間距離固定シヤフト
７．パイプ状水車主軸
８．羽枠相互固定部
９．直線歯
１０．羽用歯車
１１．ローラー
１２．ローラー溝
１３．羽取付棒
【図１】
2005054767.tif 000003
【図２】
2005054767.tif 000004
【図３】
2005054767.tif 000005
【図４】
2005054767.tif 000006
【図５】
2005054767.tif 000007
(57)【要約】【課題】鉄道車輌の走行により発生した風力エネルギーを電力エネルギーに変換する方法として、自らの車輌にて蓄積し消費すること意外にも、いかにして確保するのかが課題である。【解決手段】本発明は、鉄道車輌が通過する線路内や線路横に、風力を電力に変換する発電機を単数もしくは複数設置し、鉄道車輌通過により発生した風を電気エネルギーへと変換させることができるシステムを導入することである。【選択図】図１
2005054763.tif 000002
【特許請求の範囲】
【請求項１】
電車，汽車，モノレール等が走行する鉄道の線路上において、本線路内（線路上の左右レールの間）に設けられた発電装置で、鉄道車輌がその上を通過する際に発生する風を利用して電力を構築することができる、線路設置式発電システム。
【請求項２】
電車，汽車，モノレール等が走行する鉄道の線路上において、本線路横に設けられた発電装置で、鉄道車輌がその場所を通過する際に発生する風を利用して電力を構築することができる、線路設置式発電システム。
【請求項３】
車輌がトンネル内や地下鉄内を通過する際に、密閉された空間を走行するために発生する空気の押出しによる流れを利用した、請求項１，２の発電システム。
【発明の詳細な説明】
【技術分野】
【０００１】本発明は、地上面もしくは地下面において線路を走行する全ての車輌（リニアモーターの場合も含む）を対象とした路面が該当される。
【背景の技術】
【０００２】従来、鉄道車輌が走行する際には、路線に設置された電力供給線をパンタグラフ等を経由して、供給を行うなどの方法が行われている。
このようにして、供給された電力を利用して走行する車輌は、自らの走行にて発生させている風を利用して機器の冷却用途や車内空気の循環などの用途に利用していた。しかし、各車輌自体が走行することで発生する運動エネルギーを上記以外の目的にて利用をすることは無く、そのまま放置しているのが現状である。
また、近年の技術発展においては、車輌自体が走行する際に発生した風力を自ら（車輌）が風力発電として、バッテリーに蓄積する等の手法も考えられている。
【発明の開示】
【発明が解決しようとする課題】
【０００３】先に記述した電力は、自らの車輌にて蓄積し消費することを目的としており、走行した際に発生する運動エネルギー（風力）を以上の目的以外に利用することで、有限なエネルギーをいかにして確保するのかが課題である。
【課題を解決するための手段】
【０００４】本発明により、今まで放置されていた運動エネルギーを有効に利用することで、例えば、路面上の照明に必要な電力の一部として利用したり、地下部分においては空調設備用機器を作動させる為の電力として利用したりすることも可能である。【０００５】この運動エネルギー（風力）を電気エネルギーに変換する手段としては、線路内もしくは路面横に設置されたファン状の回転機器を、風の流れる方向に応じて設置する。
各車輌が通過する際に発生した風を受け、本回転機器内のファンが回転をして、電力を発生させることで、発電された電力は蓄積用バッテリー等に一旦蓄積され、その量に応じて、各種用途向けに供給されるシステムである。
本回転機器は、単数を設置することもできるが、蓄積される電力量等を考慮して、例えば、３メートル間隔で複数設置する等の方法も可能である。
【発明を実施するための最良の形態】
【０００６】次に、本発明の実施の形態を実施例を用いて説明する。
図１は本発明における概念図である。
▲１▼は、本発明品の本体（風力発電機器）であり、その周囲には、複数の空気取込口を設け、その内部には、取込まれた空気によってファンが回転をして、発電を行う。
また、発電された電気は、本体下を経由して蓄積用バッテリーに接続されている。
本風力発電機器は、鉄道路線上の線路▲２▼の左右レール間に設置し、鉄道車輌が通過する際に障害とならない寸法となる。
さらに、本発明品は、一定の間隔毎に複数設置することで、さらなる電力を供給することも可能となる。【０００７】図１の実施例においては、▲３▼電車が通行する際の線路内に、本発明品を複数設置しているが、地下等の場所においては、単に線路内に設置するだけでは無く、路面横に設置することで、効率の良い電力供給を行うことも可能となり、本発明品の形状も、設置される場所に応じて、縦置きや横置き等、自由な形状を設けて車輌通行の妨げにならないように工夫をする。
【発明の効果】
【０００８】本発明により、現在放置状態となっていた、車輌通過に伴い発生した風を自らの車輌内に取り込み利用する手法以外のエネルギーとしての確保，利用に関しては、このように蓄積された電気エネルギーとして、例えば照明に要する電力の一部として利用したり、蓄積電力を電力会社へ販売する等、様々な用途としての利用が可能である。
【産業上の利用可能性】
【０００９】本発明システムは、電車，汽車，モノレール等の各鉄道車輌が通行する場所において、単数もしくは複数設置することが可能である。
【図面の簡単な説明】
【００１０】
【図１】本発明の概念図である。
【符号の説明】
【００１１】１      風力発電機器
２      線路
３      電車
【図１】
2005054763.tif 000003
【手続補正書】
【提出日】平成16年7月6日(2004.7.6)
【手続補正１】
【補正対象書類名】特許請求の範囲
【補正対象項目名】全文
【補正方法】変更
【補正の内容】
【特許請求の範囲】
【請求項１】
電車，汽車，モノレール等が走行する鉄道の線路上において、本線路内（線路上の左右レールの間）に設けられた発電装置で、鉄道車輌がその上を通過する際に発生する風を利用して電力を構築することができる、線路設置式発電システム。
【請求項２】
電車，汽車，モノレール等が走行する鉄道の線路上において、本線路横に設けられた発電装置で、鉄道車輌がその場所を通過する際に発生する風を利用して電力を構築することができる、線路設置式発電システム。
【請求項３】
車輌がトンネル内や地下鉄内を通過する際に、密閉された空間を走行するために発生する空気の流れを利用した、請求項１，２の発電システム。